【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
ポリアセタール組成物を製造する方法であって、
ｉ）前記ポリアセタール組成物の全重量を基準にして２０重量％または約２０重量％〜８４．５重量％または約８４．５重量％のポリアセタール樹脂と、
ｉｉ）前記ポリアセタール組成物の全重量を基準にして１５重量％または約１５重量％〜８０重量％または約８０重量％の少なくとも１種の鉱物充填剤と、
ｉｉｉ）前記少なくとも１種の鉱物充填剤の重量を基準にして０．５重量％または約０．５重量％〜６重量％または約６重量％の、脂肪酸エステル、脂肪酸アミドおよびこれらの混合物からなる群から選択される少なくとも１種の成分と、
を混合する工程を含み、
前記少なくとも１種の鉱物充填剤が、前もって被覆されていないことを特徴とする方法。
【請求項２】
成形ポリアセタール組成物を製造する方法であって、
ａ）ｉ）前記ポリアセタール組成物の全重量を基準にして２０重量％または約２０重量％〜７９．５重量％または約７９．５重量％のポリアセタール樹脂と、
ｉｉ）前記ポリアセタール組成物の全重量を基準にして２０重量％または約２０重量％〜８０重量％または約８０重量％の少なくとも１種の鉱物充填剤と、
ｉｉｉ）前記少なくとも１種の鉱物充填剤の重量を基準にして０．５重量％または約０．５重量％〜５重量％または約５重量％の、脂肪酸エステル、脂肪酸アミドおよびこれらの混合物からなる群から選択される少なくとも１種の成分と、
を混合してポリアセタール組成物を得る工程と、
ｂ）ａ）の前記ポリアセタール組成物を成形する工程と
を含み、前記少なくとも１種の鉱物充填剤が前もって被覆されていないことを特徴とする方法。
【請求項３】
ポリアセタール組成物を含むコンベヤベルト用の部品であって、
前記ポリアセタール組成物が、
ｉ）ポリアセタール組成物の全重量を基準にして２０重量％または約２０重量％〜８４．５重量％または約８４．５重量％のポリアセタール樹脂と、
ｉｉ）前記ポリアセタール組成物の全重量を基準にして１５重量％または約１５重量％〜８０重量％または約８０重量％の、硫酸バリウム、酸化ランタニド、酸化亜鉛およびこれらの混合物からなる群から選択された少なくとも１種の鉱物充填剤と、
ｉｉｉ）前記少なくとも１種の鉱物充填剤の重量を基準にして０．５重量％または約０．５重量％〜６重量％または約６重量％の、脂肪酸エステル、脂肪酸アミドおよびこれらの混合物からなる群から選択される少なくとも１種の成分と、
を混合する工程を含む方法によって製造され、
前記少なくとも１種の鉱物充填剤が、前もって被覆されていないことを特徴とする、コンベヤベルト用の部品。
【請求項４】
コンベヤシステムによって輸送された摂取可能製品中のコンベヤシステム材料を検出する方法であって、
ａ）ポリアセタール組成物を含む少なくとも１個のコンベヤシステム部品を製造する工程であって、
前記ポリアセタール組成物が、
ｉ）ポリアセタール組成物の全重量を基準にして２０重量％または約２０重量％〜８４．５重量％または約８４．５重量％のポリアセタール樹脂と、
ｉｉ）前記ポリアセタール組成物の全重量を基準にして１５重量％または約１５重量％〜８０重量％または約８０重量％の少なくとも１種のＸ線不透過性鉱物充填剤と、
ｉｉｉ）前記少なくとも１種の鉱物充填剤の重量を基準にして０．５重量％または約０．５重量％〜６重量％または約６重量％の、脂肪酸エステル、脂肪酸アミドおよびこれらの混合物からなる群から選択される少なくとも１種の成分と、
を混合する工程を含む方法によって製造され、前記少なくとも１種のＸ線不透過性鉱物充填剤が、前もって被覆されていないことを特徴とする、
少なくとも１個のコンベヤシステム部品を製造する工程と、
ｂ）工程ａ）によって製造された前記少なくとも１個のコンベヤシステム部品を含むコンベヤシステムによって前記摂取可能製品を輸送する工程と、
ｃ）Ｘ線を前記摂取可能製品に照射する工程と、
ｄ）Ｘ線不透過性鉱物充填剤の存在を検出する工程と、
を含むコンベヤシステム材料を検出する方法。
【手続補正２】
【補正対象書類名】明細書
【補正対象項目名】００７７
【補正方法】変更
【補正の内容】
【００７７】
従来法により製造されたポリアセタール組成物と比較した場合、本明細書において記載された方法により製造されたポリアセタール組成物は、同等の熱安定性または改善された熱安定性、同等の機械的特性または改善された機械的特性を示し、そして前もって被覆する工程の除去のおかげで、より効率的に且つより安いコストで製造することが可能である。
以下、本明細書に記載の主な発明につき列記する。
［１］
ポリアセタール組成物を製造する方法であって、
ｉ）前記ポリアセタール組成物の全重量を基準にして２０重量％または約２０重量％〜８４．５重量％または約８４．５重量％のポリアセタール樹脂と、
ｉｉ）前記ポリアセタール組成物の全重量を基準にして１５重量％または約１５重量％〜８０重量％または約８０重量％の少なくとも１種の鉱物充填剤と、
ｉｉｉ）前記少なくとも１種の鉱物充填剤の重量を基準にして０．５重量％または約０．５重量％〜６重量％または約６重量％の、脂肪酸エステル、脂肪酸アミドおよびこれらの混合物からなる群から選択される少なくとも１種の成分と、
を混合する工程を含み、
前記少なくとも１種の鉱物充填剤が、前もって被覆されていないことを特徴とする方法。
［２］
前記選択される少なくとも１種の成分が１種以上の脂肪酸エステルである前記［１］に記載の方法。
［３］
前記選択される少なくとも１種の成分がモノステアリン酸グリセリンを含む前記［１］〜［２］のいずれか１項に記載の方法。
［４］
前記少なくとも１種の鉱物充填剤が、硫酸バリウム、酸化ランタニド、酸化亜鉛またはこれらの混合物である前記［１］〜［３］のいずれか１項に記載の方法。
［５］
前記少なくとも１種の鉱物充填剤が硫酸バリウムである前記［１］〜［４］のいずれか１項に記載の方法。
［６］
前記ポリアセタール組成物が、前記ポリアセタール組成物の全重量を基準にして０．００５重量％または約０．００５重量％〜４重量％または約４重量％の１種以上の熱安定剤をさらに含む前記［１］〜［５］のいずれか１項に記載の方法。
［７］
前記１種以上の熱安定剤が、ポリアクリルアミド、エチレンビニルアルコールコポリマーおよびそれらの混合物から選択される前記［６］に記載の方法。
［８］
成形ポリアセタール組成物を製造する方法であって、
ａ）ｉ）前記ポリアセタール組成物の全重量を基準にして２０重量％または約２０重量％〜７９．５重量％または約７９．５重量％のポリアセタール樹脂と、
ｉｉ）前記ポリアセタール組成物の全重量を基準にして２０重量％または約２０重量％〜８０重量％または約８０重量％の少なくとも１種の鉱物充填剤と、
ｉｉｉ）前記少なくとも１種の鉱物充填剤の重量を基準にして０．５重量％または約０．５重量％〜５重量％または約５重量％の、脂肪酸エステル、脂肪酸アミドおよびこれらの混合物からなる群から選択される少なくとも１種の成分と、
を混合してポリアセタール組成物を得る工程と、
ｂ）ａ）の前記ポリアセタール組成物を成形する工程と
を含み、前記少なくとも１種の鉱物充填剤が前もって被覆されていないことを特徴とする方法。
［９］
前記成形の工程ｂ）が射出成形によって行われる前記［８］に記載の方法。
［１０］
前記成形ポリアセタール組成物が、ベアリング、ギア、カム、ローラー、滑り板、プーリー、レバー、ガイドまたはコンベヤシステム部品である前記［８］または［９］に記載の方法。
［１１］
ポリアセタール組成物を含むコンベヤベルト用の部品であって、
前記ポリアセタール組成物が、
ｉ）ポリアセタール組成物の全重量を基準にして２０重量％または約２０重量％〜８４．５重量％または約８４．５重量％のポリアセタール樹脂と、
ｉｉ）前記ポリアセタール組成物の全重量を基準にして１５重量％または約１５重量％〜８０重量％または約８０重量％の、硫酸バリウム、酸化ランタニド、酸化亜鉛およびこれらの混合物からなる群から選択された少なくとも１種の鉱物充填剤と、
ｉｉｉ）前記少なくとも１種の鉱物充填剤の重量を基準にして０．５重量％または約０．５重量％〜６重量％または約６重量％の、脂肪酸エステル、脂肪酸アミドおよびこれらの混合物からなる群から選択される少なくとも１種の成分と、
を混合する工程を含む方法によって製造され、
前記少なくとも１種の鉱物充填剤が、前もって被覆されていないことを特徴とする、コンベヤベルト用の部品。
［１２］
コンベヤシステムによって輸送された摂取可能製品中のコンベヤシステム材料を検出する方法であって、
ａ）ポリアセタール組成物を含む少なくとも１個のコンベヤシステム部品を製造する工程であって、
前記ポリアセタール組成物が、
ｉ）ポリアセタール組成物の全重量を基準にして２０重量％または約２０重量％〜８４．５重量％または約８４．５重量％のポリアセタール樹脂と、
ｉｉ）前記ポリアセタール組成物の全重量を基準にして１５重量％または約１５重量％〜８０重量％または約８０重量％の少なくとも１種のＸ線不透過性鉱物充填剤と、
ｉｉｉ）前記少なくとも１種の鉱物充填剤の重量を基準にして０．５重量％または約０．５重量％〜６重量％または約６重量％の、脂肪酸エステル、脂肪酸アミドおよびこれらの混合物からなる群から選択される少なくとも１種の成分と、
を混合する工程を含む方法によって製造され、前記少なくとも１種のＸ線不透過性鉱物充填剤が、前もって被覆されていないことを特徴とする、
少なくとも１個のコンベヤシステム部品を製造する工程と、
ｂ）工程ａ）によって製造された前記少なくとも１個のコンベヤシステム部品を含むコンベヤシステムによって前記摂取可能製品を輸送する工程と、
ｃ）Ｘ線を前記摂取可能製品に照射する工程と、
ｄ）Ｘ線不透過性鉱物充填剤の存在を検出する工程と、
を含むコンベヤシステム材料を検出する方法。